(57)【要約】【課題】ライターを幼児が遊び等で操作しても、また人がライターを携帯中、もしくは車両内に放置した状態で、人の意に反してライターの誤着火を阻止することを可能とした、新規なライターの安全装置を提供する。【解決手段】スライド式ライター及び、上下式ライターのそれぞれ本体左右両縦側面に一個ずつ解除釦を設け、かつライターの内部に関連部材等を配し、左右両縦側面の解除釦の相互幅を、幼児の掌指人体寸法では掌握不能なライター外幅寸法とし、左右いずれか一方の解除釦のみを動作させても、着火釦動作の拘束機能を解除することを阻止し、左右の解除釦を同時に動作した場合のみ、着火釦及び回転ヤスリが動作し、ライターが着火することを可能とするライターの安全装置を組込む。【選択図】図１
2011133220.tif 000002
【特許請求の範囲】
【請求項１】
燃焼室に位置する燃焼ノズルに燃料タンクからの燃料供給をする外部から操作可能な燃料供給操作子を備えた燃料供給手段と、
前記燃焼室に火花を飛ばす外部から操作可能な火花発生操作子を備えた火花発生手段と、を備えて構成されるライターの安全装置であって、
該安全装置は、前記燃料供給操作子と前記火花発生操作子の少なくとも何れかの操作子の作動を夫々独立して拘束／解除する外部から操作可能な安全操作子を本体の外面に距離を隔てて複数個所設けられていることを特徴とするライターの安全装置。
【請求項２】
着火釦の動作がスライド式、若しくは上下式のライターの本体左右両側面にそれぞれ個別の着火動作を拘束する解除釦を設け、スライド式の場合、左解除釦は常時、着火釦のスライド動作を拘束し、右解除釦は着火釦の降下動作を拘束し、上下式の場合、左解除釦は常時、円形ヤスリの回転動作を拘束し、右解除釦は、着火釦の押下げ動作を拘束し、スライド式、又は上下式のライターの左解除釦若しくは右解除釦の、一方のみの動作では着火釦は動作せず、ライターは着火作動せず、左右の解除釦を同時に動作させた場合のみ、着火釦は動作して着火作動を可能とし、着火釦の誤作動を防止することを特徴とする、ライターの安全装置。
【請求項３】
スライド式の場合、左解除釦の装置先端部分はフック状で、着火釦の左端内部に設けられたフック受け部材を捕捉し、着火釦のスライド変位・動作を拘束し、左解除釦をライター本体右方向に挿入することにより、フック受け部材の捕捉状態は解除されることを可能とすることを特徴とする。
上下式の場合、左解除釦の装置先端部分は、円形ヤスリの外周歯車部分に付設するストッパー材に連動し、円形ヤスリの回転動作を拘束し、左解除釦をライター本体右方向に挿入することにより、ストッパー材が動作して、円形ヤスリは拘束から開放され回転動作を可能とすることを特徴とする、請求項１記載のライターの安全装置。
【請求項４】
スライド式の場合、右解除釦の上外端のストッパー受け部は、着火釦の右下端部に設けられたストッパー部の直下部分に位置し、左解除釦を動作することにより、着火釦のフック受け部材の拘束状態が解除されても、着火釦の変位動作はストッパー部が右解除釦の上外端のストッパー受け部により阻止されており、右解除釦をライター本体左方向に挿入することにより、ストッパー受け部が左本体内部方向に移動し、ストッパー部の下方部分に開放・空間が発生し、ストッパー部の拘束が解除され、着火釦の降下・変位動作を可能とする、つまり左右の解除釦を同時に動作させることにより、着火釦がスライド・降下動作を可能することを特徴とする
上下式の場合、右解除釦の装置先端部分は平板帯板状のストッパー受け部で、着火釦のストッパー部の下部に設置され、ストッパー受け部が、常時着火釦のストッパー部の右側に位置する状態でストッパー受け部は静止・維持され、右解除釦を動作することにより、平板帯板状のストッパー受け部は本体内部左方向に水平移動し、着火釦のストッパー部の直下部分を通過位置に達した状態で、着火釦ストッパー部の拘束状態が開放され降下動作を可能することを特徴とする請求項１及び請求項３記載のライターの安全装置。
【請求項５】
スライド式および上下式いずれ場合も左右の解除作動釦は、ライターの掌握・使用を中止すると、解除釦にそれぞれ装着された発条により、従前の状態に復帰し、同時に連動して着火釦の動作固定機能が復帰し安全装置の作動を可能とする、請求項１〜４記載のライターの安全装置。
【発明の詳細な説明】
【技術分野】
【０００１】  本発明はライターの幼児使用や、自動車内等で電動シートの移動時、シート周辺の他の部分との隙間にライターの挟まり事故等、誤作動を原因とする火災事故発生、それに伴う人身事故等の発生を皆無とし、成人のみに使用可能とするライターの安全装置に関する。
【背景技術】
【０００２】  ライターは、一般的に、着火装置の形態から大別して図９に示すエピゾ式ライター、もしくは図１０に示すフリント式ライターの２種類が主な汎用形態である。【０００３】  上記、ライターは、いずれも幼児から成人の掌指により着火装置を単一動作することのみで、着火機能が容易に作動し瞬時に着火し火炎を放出することによる、火傷や火災が多発し、社会的問題化をふまえ、単一動作で着火する欠点に対し、着火動作を阻止するライターの安全装置が多数案出されている。【０００４】  例えば、特許文献１には、実施例が開示されており、この実施例の概要は、ライター本体左側面の、スライダー（釦）を押込み動作し、これにより弁操作子（着火釦）が動作することで着火可能ならしめている。【０００５】  然しながら、このものにあっては、安全装置の単一動作のみで、着火操作子（着火釦）が動作可能となり、ライターを人間が掌握した時点で、意に反してスライダー（釦）の押込み動作が完了し、同時にライターの安全機構は解除され、スライダー（釦）の装置構成から、乳幼児等によるライター掌握時点で、着火操作子（着火釦）が動作可能となり、またスライダー（釦）の直上部に、本体側面よりの突起（安全機構）をスライダー（釦）と類似寸法で突出して設けているが、ライターの突起部分が、鞄や衣のポケット内で、他の物体に拘束されかえって、スライダー（釦）が干渉され易く、着火操作子（着火釦）の押込み動作の誘発を招くという欠点がある。
【先行技術文献】
【特許文献】
【０００６】
【特許文献１】特開２００３−３４３８３３号公報
【発明の概要】
【発明が解決しようとする課題】
【０００７】  本発明は、以上のような欠点に鑑み、従来の安全装置が単一動作のみで、着火動作が可能となる点に鑑み、ライター掌握時、乳幼児による着火釦の動作を阻止し、生活環境でライターが他の部分との接触による、着火釦の誤作動を阻止し、ライターの使用・着火作動を不可能とするために、複数動作を要する、新規なライターの安全装置を提供することを目的とるものである。
【課題を解決するための手段】
【０００８】  上記目的を達成するために、第一の発明は、燃焼室に位置する燃焼ノズルに燃料タンクからの燃料供給をする外部から操作可能な燃料供給操作子を備えた燃料供給手段と、
前記燃焼室に火花を飛ばす外部から操作可能な火花発生操作子を備えた火花供給手段と、を備えて構成されるライターの安全装置であって、
該安全装置は、前記燃料供給操作子と前記火花発生操作子の少なくとも何れかの操作子の作動を夫々独立して拘束／解除する外部から操作可能な安全操作子を前記本体の外面に距離を隔てて複数箇所設けてライターの安全装置を構成している。
【発明の効果】
【０００９】  以上の説明から明らかなように、本発明にあっては次に列挙する効果が得られる。
（１）燃料供給操作子と火花発生操作子の動作を独立して拘束する安全操作子がライター本体の側面に距離を隔てて複数箇所設けられていて、この複数の安全操作子の全てが拘束解除されたときのみに、燃料供給操作子と火花発生操作子との両操作子の作動が可能となってライターとしての着火ができることとなる。
従って、このような工夫を知らない人、特に幼児が掌指してライターとして使用することは極めて困難である。
また、生活環境に起因して起こり得る各種事象においても偶然の誤操作につながるような着火の確立は極めて低く製品の使用寿命期間中の発生確率は皆無に等しいと考えられる。【００１０】  本発明の第一の実施例に示すピアゾ式ライター、及び第二の実施例に示すフリント式ライターに依れば、二箇所の解除釦が付設されており、下記に記載される多くの効果を奏する。【００１１】  上記構成による本発明に係わるライターの安全装置付きライターは、幼児の使用を阻止することみならず、成人が衣服・バッグ等にライターを収納所持し、行動中に周辺の器物に収納部分が接触しても、従来のライターのように誤作動・誤着火の可能性を皆無とする構造である。【００１２】  車両運転中、車内に残置された従来のライターが席の空隙や運転ペダル等のスペース部分に挟まり、車両の振動もしくは座席・機器類の移動等、機械力により簡単に誤着火することが原因の車両火災発生事案等が多発しているが、本発明の係わるライターの安全装置は、これら事故の発生を皆無とする構造である。【００１３】  図９に示す従来のピエゾ式ライター、及び図１０に示す従来のフリント式ライターの着火釦の基本動作形態は正円回転の上下動であり、この上下動の制御が重要で、成人が本発明のライターを掌握時のみ動作可能な解除釦を、従来のライターの縦両側面部に配置し、着火釦の下方移動を阻止・固定するために着火釦の直下に直下動阻止する部材を配し、着火釦のみを単独で動作させた場合、着火釦は直下動阻止部材により下方に変位せず、固定状態が維持機能を、一切作動拒否することを可能とし、さらにピエゾ式ライターにあっては、着火釦の水平方向スライドの移動阻止、フリント式ライターにあっては、円形ヤスリの回転阻止する為に、それぞれライター本体の左側に解除釦を具備し、着火釦の単一動作では着火作動を一切拒否することを可能とした大きな効果を奏する。
【図面の簡単な説明】
【００１４】
【図１】第一の実施例の正・側面図。
【図２】第一の実施例の縦断面詳細図。
【図３】第一の実施例の動作・作動経緯説明図。
【図４】第一の実施例の動作・作動経緯説明図。
【図５】第一の実施例の動作・作動経緯説明図。
【図６】第一の実施例の動作・作動経緯説明図。
【図７】第二の実施例の正面図。
【図８】第二の実施例の縦断面。
【図９】従来のピエゾ式ライターの正面図。
【図１０】従来のフリント式ライターの正面図。
【発明を実施するための形態】
【００１５】  以下、図１ないし図８に示す発明を実施するための形態により本発明を詳細に説明する。尚、図９、１０は従来例を示しているが、図１ないし図１０に示す符号は、図１ないし図８と同一構成部分には同一符号を付しているので重複する説明を省略する。
【００１６】  実施の形態として、ピエゾ式ライターを第１の実施例とし、フリント式ライターを第二の実施例として説明する。
【００１７】  図１ないし図６に示す本発明を実施する第一の実施例において、Ｐは、本発明の安全装置を備えたピエゾ式ライターであり、このピエゾ式ライターＡは、ライター本体１と、この本体１内に液化ガスを封入する燃料タンク１４と、本体１と機密状態で本体１から延出し先端に燃料ノズル２６、途中に炎調整ツマミ１６、バルブ２５等を備えた液化ガス供給ユニット２１と、圧電ユニット２３を備えている。
２は、着火操作子となる着火釦で本体に軸支された取付用のアーム２ａを備え、支点２ｂを中心として回動する。また、２ｃは圧電ユニット２３の先端に当接するアクチュエータで着火釦２の回動操作に伴って圧電ユニット２３を動作させると共に、図示しないがバルブ２５を開閉する、６は着火釦２に設けられたフック受け部材で、本体１の左側面に位置し、回転軸１８ａを介して回動自在に取り付けられた本発明の安全装置を構成する主要部品である解除釦４ａに連接している解除部材２２ａの先端のキャッチフック８と係合する。
４ｂは、本発明の安全装置を構成するもう一つの主要部品で、回転軸１８ｂに回転自在に軸支されて本体１の右側面に位置し、解除釦２のストッパー部１０を拘束する。２３ａは圧電ユニット２３で発生した電圧を燃焼室４０に導き火花を発生させる導線である。
２０は燃焼室４０の風防であり、１２ａ、１２ｂは解除釦４ａ、４ｂを押さえる発条である。
【００１８】  図９に示す、従来のピエゾ式ライターの着火釦の作動形態は、掌指により右方向に引かれると着火釦は時計回りに右正円回転する、この着火釦の回転変位を阻止・拘束するために、図２に示すように、着火釦２の先端付近内部にフック受け部６材を設け、着火釦２のスライド動作を試みた場合、解除釦４ａの解除部材２２ａ先端キャッチフック８により、フック受け部材６は捕捉・拘束状態で着火釦２は回転変位が阻止され、拘束状態が維持されライター着火機能は一切作動せず、着火はしない。
【００１９】  さらに着火釦２の回転・降下変位防止機能として、着火釦２の右下端ストッパー部１０の直下に、解除釦４ｂを配し、解除釦４ｂの上端部にストッパー受け部２４を有し、着火釦２のスライド動作を試みた場合、回転・降下変位動作開始時、ストッパー受け部２４がストッパー部１０を拘束・阻止し、固定状態が維持されライター着火機能は一切作動せず、着火はしない。
【００２０】  上記構成において、着火釦２は解除機能に係わる、フック受け部材６及びストッパー部１０を有し、通常、フック受け部材６は解除釦４ａの解除部材２２ａ先端、キャッチフック８で捕捉・拘束され、一方ストッパー部１０も解除釦４ｂのストッパー受け部２４同様に捕捉・拘束されおり、着火釦２はフック受け部材６及びストッパー部１０が同時に捕捉・拘束から解除された場合のみ、動作し着火作動可能となるように配置されている。
【００２１】  上記構成において、図２のライターの外幅は２４ｍｍ以上とし、本体両縦側面に着火釦２の固定機能の解除釦４ａ、４ｂが組み込まれ、ガスライター本体側面より解除釦外端部の突出寸法は、誤動作および衣服への収納等の利便性を考慮して、概ね１ｍｍ程度が最適である。
【００２２】  本発明に係わる、ライターの安全装置組込みのピエゾ式ライターＰは、解除釦４ａ及び、解除釦４ｂの動作を停止・終了すると、解除釦４ａ、及び解除釦４ｂの内側解除部材２２ａ、及び２２ｂに装着された発条１２ａ及び１２ｂの反発力で、解除釦４ａ及び解除釦４ｂは動作前の状態に復帰し、着火釦２の捕捉・拘束機能も回復・作動し、ライターの安全装置の機能が回復・作動する。
【００２３】  解除部材２２ａ及び解除部材２２ｂの部材を板状としたが、その概形を棒状等その他の形状とすることもできる。
【００２４】  以下に本発明に係わる、第二の実施例（フリント式ライター）を図７ないし図８に基づいて説明する。前記、第一の実施例と主に異なる点は、方式の違いによって生じる部分であり、以下にその違いの部分を符号と共に説明する。
【００２５】  図において、Ｆはフリント式ライターの全体を示している。２８は回転ヤスリで、３７は着火石である。３２は本実施例の安全装置の主要部材となるブレーキ部材で一端には回転やスリ２８を拘束する歯形ブレーキ３０を有し他端はストッパー受け部２４に当接していて回動自在に軸支されている。
【００２６】  従来例における作動形態は、着火釦２が掌指（通常は右親指）により、回転ヤスリ２８が右方向に押引かれ回転し、火花の発生と同時に、同一掌指により、着火釦２が下方に押下げられライターに供給され燃料に単一動作で容易に着火し幼児の使用を可能とし、生活環境下で意に反しての着火が多発する現況である。
【００２７】  本実施例に係わる、ライターの安全装置は非使用時、図７に示される、第一に、着火釦２の回転変位の阻止・拘束する装置、第二にキャッチフック８、着火釦２の下方変位の阻止・拘束する装置、第三にストッパー受け部２４、回転ヤスリ２８の回転変位の阻止・拘束するブレーキ装置３０の合計、３箇所の阻止・拘束装置の付設が必須で、この３箇所の装置は相互に連動し、３箇所の装置全てが同時に動作・作動してのみ、着火機能が作動する構造。
【００２８】  本発明に係わる、ライターの安全装置によるフリント式ライターを成人が使用するに際し、着火釦２の動作を阻止・拘束している、キャッチフック８及びストッパー受け部２４、ブレーキ装置３０これら三箇所の阻止・拘束機能の解除に対応すべく、図７に示す本体左側面に、解除釦４ａ、右側面に、解除釦４ｂを付設する。
【００２９】  解除釦４ａを押込み動作すると、解除部材２２ａの先端部材であるキャッチフック８が、キャッチ受け部材６より離脱・移動し、キャッチ受け部材６は阻止・拘束から開放される。
【００３０】  解除釦４ｂを押込み動作すると、解除部材２２ｂの先端部材であるストッパー受け部２４は、着火釦２の右下端部に設けた、ストッパー部１０、の直下部を左水平方向に正円回転変位で通過移動し、ストッパー部１０の直下部に、ストッパー部１０の降下を可能とする空間が形成され、この状態で着火釦２は随時降下動作可能となる。
【００３１】  解除釦４ｂを押込み動作すると、解除部材２２ｂの先端部材であるストッパー受け部２４左端部は、左水平方向への正円回転変位に際し、ブレーキ部材３２の右下端部を、左水平方向へ押込み、ブレーキ部材３２全体は、共同回転軸３４を中心に時計回り（右回り）に回転変位し、ブレーキ部材３２の上部右端部の、歯形ブレーキ３０もこの回転変位に追従し、図９（Ｃ）：作動完了、に示すとおり回転ヤスリ２８の外周歯車形との嵌合状態から離脱し、外周歯車の回転軌跡外へと離れる。
【００３２】  ブレーキ部材３２の上部右端部の、歯形ブレーキ３０が回転ヤスリ２８の、外周歯車の回転軌跡外へと離れることにより、回転ヤスリ２８ｂ回転動作の、歯形ブレーキ３０による拘束・阻止しは解除され、回転ヤスリ２８は随時回転動作可能となる。
【００３３】  既に、解除釦４ａの動作が完了しその後、解除釦４ｂの動作も完了、回転ヤスリ２８、着火釦２は随時動作待機状態で掌指により、回転ヤスリ２８、着火釦２の順で動作することにより、本発明に係わる、ライターの安全装置、組込みのフリント式ライターＦは着火機能を充分に発揮する。
【００３４】  本実施例に係わる、ライターの安全装置組込みのフリント式ライターは解除釦４ａ及び、解除釦４ｂの動作を停止・終了すると、解除釦４ａ、及び解除釦４ｂの内側解除部材２２ａ、及び２２ｂに装着された発条１２ａ及び１２ｂの反発力で、解除釦４ａ及び解除釦４ｂは動作前の状態に復帰し、歯形ブレーキ３０はブレーキ部材３２に装着された発条３６の反発力で、外周歯車形との嵌合状態が回復され、着火釦２の捕捉・拘束機能も回復・作動し、ライターの安全装置の機能が回復・作動する。
【産業上の利用可能性】
【００３５】    本発明は、ライターの安全装置を製造する産業で利用される。
【符号の説明】
【００３６】Ｐ      ピエゾ式ライター      Ｆ      フリント式ライター
１      本体          ２  着火釦          ２ａ  アーム
２ｂ    支点                  ２ｃ    アクチュエーター
４ａ    解除釦                ４ｂ    解除釦
６      フック受け部材        ８      キャッチフック
１０    ストッパー部          １２ａ  発条
１２ｂ  発条                  １４    燃料タンク
１６    炎調整ツマミ          １８ａ  回転軸
１８ｂ  回転軸                ２０    風防
２１    液化ガス供給ユニット  ２２ａ  解除部材
２２ｂ  解除部材              ２３    圧電ユニット
２３ａ  導線                  ２４    ストッパー受け部
２５    バルブ                ２６    燃料ノズル
２８    回転ヤスリ            ３０    歯形ブレーキ
３２    ブレーキ部材          ３４    共同回転軸
３６    発条                  ３７    着火石
４０    燃焼室。
【図１】
2011133220.tif 000003
【図２】
2011133220.tif 000004
【図３】
2011133220.tif 000005
【図４】
2011133220.tif 000006
【図５】
2011133220.tif 000007
【図６】
2011133220.tif 000008
【図７】
2011133220.tif 000009
【図８】
2011133220.tif 000010
【図９】
2011133220.tif 000011
【図１０】
2011133220.tif 000012